(57)【特許請求の範囲】
【請求項１】
シャッターケースの巻取りシャフトに昇降自在に巻着する防火シートシャッターにおいて、巻取りシャフトの軸にスプロケットを設け、該スプロケットにローラチェーンを架設し、該ローラチェーンの他端には、巻上げばねを外巻した回転軸のばね用スプロケットに架設し、該回転軸には、該巻上げばねに隣接してクラッチ機構を装設し、該クラッチ機構には、該回転軸の端部に同時に回転する鍔付のフランヂ管を嵌装固定し、該フランヂ管には、隣接して外周に突起爪と中心に貫通孔を設けた固定円板をボルト等で固定し、該固定円板には、隣接して外周の一部に突起片と中心に貫通孔を各々設けた所要数の回転円板を順次嵌装列設し、最後の該回転円板には、該巻上げばねの端部を取着した固定円板を固定し、該巻上げばねの他端部は、他方のばね軸取付台に固着したことを特徴とする緊急避難用防火シートシャッター。
【発明の詳細な説明】
【０００１】
【産業上の利用分野】
本発明は、各種建築物の天井部分に装設される防火、防煙のシートシヤツターが、耐火性を損なうことなく火災等の緊急時に、人が手で持ち上げて避難口を作り、容易に脱出できるようにした緊急避難用防火シートシヤツターに関するものである。
【０００２】
【従来の技術】
一般に使用されている防火シヤツターは、火災時に煙感知器、熱感知器等の作動と連動してシヤツターが降下して防火区画となり、火災の延焼を防止するものである。従つて、法律に定められた場所には、避難用防火戸が設置されている。然し、火災時に逃げ遅れた人や避難方向がわからなくなつた人達が、鉄製防火シヤツターで行き止まりになつた場合、避難場所を捜して動き回らなければならない。そして、力尽きて鉄製防火シヤツターの付近で死亡している実例が多数見られる現状である。
また、消火活動の時に火元側に入りたいが、鉄製等の防火シヤツターに阻まれて充分な消火が出来ない等の問題点がある。
【０００３】
【発明が解決しようとする課題】
本発明は、上記従来の問題点に鑑みてなされたものであり、その主たる目的とする所は、防火による事故やそれによつて生ずる不合理を解決するものであつて、昇降する防火シートシヤツターの巻取りシヤフトの回転力を利用し、シヤフトに対して逆回転力を生ずるクラツチ機構と反発作用をするばねを装設し、非常時の際に防火シートシヤツターの下端の座板をばねの反発力を利用して手で容易に持ち上げられ、シートシヤツターを巻き取らせて人が潜り抜ける隙間を開放するようにして避難を何人でも簡単にできるようにしたものである。
【０００４】
【課題を解決するための手段】
上記目的を達成するために、本発明においては、シヤツターケースの内部に位置する巻取りシヤフトには、一方の軸に設けたスプロケツトにローラチエーンを架設する。このローラチエーンには、他端に巻上げばねを外巻した回転軸のばね用スプロケツトに架設してある。該回転軸には、巻上げばねと隣接してクラツチ機構を装設してある。該クラツチ機構には、中心にフランヂ管を有し、フランヂ管の外周に突起爪を設けた固定円板を設け、この突起爪を設けた固定円板には、隣接して所要数の突起爪を設けた回転円板を設ける。この突起爪を有する回転円板の最後に、該巻上げばねの端部を取着した固定円板を装設したものである。
【０００５】
【作用】
防火シートシヤツターは、下降と共にクラツチ機構を作動させ、上昇用ばねの反発力を利用して非常時の際に防火シートシヤツターの座板を手で持ち上げ、ばねの反発力によつてシートシヤツターを巻取りシヤフトに巻取りさせて人が潜り抜けられる必要高まで上昇させ、それ以上は上昇させずに座板から手を離すと座板の重量でシートシヤツターは完全閉鎖するものである。
【０００６】
【実施例】
次に、本発明の実施例を図面について説明すると、図１、図２におけるシヤツターケース（１）は、壁面（１９）に装着される内部の巻取りシヤフト（２）を有し、巻取りシヤフト（２）には、防火シートシヤツター（３）が左右のガイドレール（４）（４）によつて昇降自在に巻着されている。該防火シートシヤツター（３）は、ガラスクロス、シリカクロス、ポリエステル、アクリル樹脂等の織布に難燃剤を含浸させた不燃性よりなる織布等によつて構成されている。
【０００７】
巻取りシヤフト（２）には、両端のブラケツト（５）（５）に設けた軸受（７）（７）に巻取りシヤフト軸（６）（６）を架設し、該巻取りシヤフト軸（６）（６）には、両端にスプロケツト（８）とスプロケツト（１３）とを装着してある。一方の該スプロケツト（８）には、防火シートシヤツター（３）を昇降する開閉機（１１）に連係回転する開閉機スプロケツト（１０）にローラチエーン（９）を架設してある。
【０００８】
次に、他方の該スプロケツト（１３）には、ローラチエーン（１４）を架設し、該ローラチエーン（１４）の端部は、左右のばね軸取付台（１２）（１２）に架設した回転軸（１６）に設けたばね軸スプロケツト（１７）に架設してある。該回転軸（１６）には、巻上げばね（１５）と隣接してクラツチ機構（１８）とが装設されている。
【０００９】
前記クラツチ機構（１８）には、該回転軸（１６）の端部に鍔付のフランヂ管（Ａ）を嵌装固定し、該フランヂ管（Ａ）には、隣接した外周に突起爪（２０）と中心に貫通孔（２１）を設けた固定円板（Ｂ）をボルト等で固定列設する。該固定円板（Ｂ）には、隣接して外周の一部に突起爪（２０）と中心の貫通孔（２１）とを設けた所要数の回転円板（Ｃ）、回転円板（Ｄ）、回転円板（Ｅ）を順次嵌装列設する。最後に位置する該回転円板（Ｅ）には、該巻上げばね（１５）の端部を固着した固定円板（Ｆ）を装着してある。また、該巻上げばね（１５）の他端部は、一方のばね軸取付台（１２）に固着されている。
【００１０】
このような該クラツチ機構（１８）は、ばね軸スプロケツト（１７）が回転により該巻上げばね（１５）を空転されると共に、フランヂ管（Ａ）と固定円板（Ｂ）は回転し、突起爪（２０）が１回転して隣接した回転円板（Ｃ）の突起爪（２０）に当たり、該固定円板（Ｂ）と回転円板（Ｃ）とが同時に回転して順次回転円板（Ｄ）に伝達して動作を繰り返すものである。シートシヤツター（３）が所定位置（例えば５００ｍｍ程度）に達すると、突起爪（２０）が最後の回転円板（Ｅ）と隣接している固定円板（Ｆ）とに固定されている巻上げばね（１５）も回転して該巻上げばね（１５）が上昇方向の反発力に絞られるものである。また、該巻上げばね（１５）の初期の反発力は、回転円板（Ｅ）に取り付けた固定円板（Ｆ）の調整によつて確保されるものである。符号（２２）は螺子孔を示したものである。
【００１１】
【発明の効果】
以上説明したように本発明の防火シートシヤツターは、金属製の防火シヤツターと同様に耐火性を損なうことなく、非常時に人々がシヤツターの座板部を手で持ち上げて容易に避難することができる効果と、シートシヤツターの近傍で避難場所を捜して人々が倒れる等の憂いがない効果がある。そして、巻取りシヤフトの一方のスプロケツトにローラチエーンを介してばね軸スプロケツトに架設するために、開閉機を別個に装設する必要がなく、巻取りシヤフトの回転力を利用する便利な効果がある。また、ばね軸スプロケツトと共に回転する回転軸に巻着した巻上げばねによれば、シートシヤツターの座板を手で持ち上げると反発力でシートシヤツターが容易に巻取りシヤフトに巻き取られて避難口が開放形成される効果がある。更に、回転軸に巻装されているクラツチ機構によれば、突起爪を設けた固定円板と中間の所要数の回転円板の増減によつてシヤツターの避難口の開放高さを適宜調整できると云う便利な効果もある。また、シートシヤツターは先を充分に通過させるので、逃げ遅れた人達でも簡単に手で持ち上げる表示を見て避難口を捜すことができると云う便利な効果もある。
【図面の簡単な説明】
【図１】本発明のシートシヤツターを装設した状態の一部欠除した縦断側面図である。
【図２】同じく本発明のシートシヤツターを装設した一部欠除した上面図である。
【図３】同じく本発明のクラツチ機構部分の一部欠除した上面図である。
【図４】本発明の固定円板の正面図と側面図である。
【図５】本発明の回転円板の正面図と側面図である。
【図６】同じく本発明の回転円板の正面図と側面図である。
【図７】同じく固定円板の正面図である。
【図８】本発明の固定円板の正面図である。
【符号の説明】
１          シヤツターケース
２          巻取りシヤフト
３          防火シートシヤツター
４          ガイドレール
５          ブラケツト
６          巻取りシヤフト
７          軸受
８・１３    スプロケツト
９・１４    ローラチエーン
１０        開閉機スプロケツト
１１        開閉機
１２        ばね軸取付台
１５        巻上げばね
１６        回転軸
１７        ばね軸スプロケツト
１８        クラツチ機構
Ａ          フランヂ管
Ｂ・Ｆ      固定円板
Ｃ・Ｄ・Ｅ  回転円板
２０        突起爪
２１        貫通孔
【図１】
0003709718.tif 000002
【図２】
0003709718.tif 000003
【図３】
0003709718.tif 000004
【図４】
0003709718.tif 000005
【図５】
0003709718.tif 000006
【図６】
0003709718.tif 000007
【図７】
0003709718.tif 000008
【図８】
0003709718.tif 000009